(57)【特許請求の範囲】
【請求項１】
サーバ装置と、携帯情報通信端末とがネットワークを通じて接続可能とされ、前記携帯情報通信端末宛ての受信データは、前記サーバ装置が受信してメモリ部に格納すると共に、前記サーバ装置は、前記携帯情報通信端末から受信データの取得要求を受けたときに、その取得要求に応じて指定された受信データを前記携帯情報通信端末に送るようにする情報通信方法において、
前記サーバ装置と前記携帯情報通信端末との間の回線接続は、前記携帯情報通信端末が記憶保持する前記サーバ装置への接続のためのアドレス情報を含む接続要求を、前記携帯情報通信端末から前記サーバ装置に宛てて送出することによりなされるようにされており、
前記携帯情報通信端末に、未受信一括取得キーを設け、前記携帯情報通信端末は、この未受信一括取得キーが使用者により操作されるたびに、未受信一括取得要求を前記サーバ装置に送信し、
前記サーバ装置は、前記携帯情報通信端末からの前記未受信一括取得要求が到来するたびに、前記携帯情報通信端末が、それまでに取得していない受信データのみを前記メモリ部から抽出して、前記携帯情報通信端末に送出することを特徴とする情報通信方法。
【請求項２】
前記携帯情報通信端末は、
前記未受信一括取得キーが操作されたときに、前記携帯情報通信端末と前記サーバ装置とが接続されていない場合には、前記接続要求を前記未受信一括取得要求に先立ち、あるいは、同時に送信して、前記サーバ装置との間に通信回線を接続し、前記サーバ装置からの前記受信データの受信を完了した後には、前記サーバ装置との間で接続した前記通信回線を自動的に切断するようにすることを特徴とする請求項１に記載の情報通信方法。
【請求項３】
前記サーバ装置は、前記携帯情報通信端末宛ての受信があったときに、前記携帯情報通信端末に着信通知を行い、前記携帯情報通信端末は、前記サーバ装置からの着信通知を受けたときに、使用者に着信を報知するようにすることを特徴とする請求項１または請求項２に記載の情報通信方法。
【請求項４】
前記携帯情報通信端末は、自機の識別情報を含む前記接続要求を生成して送出し、
前記サーバ装置は、自機に接続可能とされた１つ以上の携帯情報通信端末の識別情報を記憶保持し、通信回線の前記接続要求を受信した場合に、当該接続要求に含まれる識別情報が、自機が記憶保持しているものと一致する場合に、通信回線を接続するようにすることを特徴とする請求項１または請求項２に記載の情報通信方法。
【請求項５】
サーバ装置と携帯情報通信端末とがネットワークを通じて接続され、前記携帯情報通信端末が、前記サーバ装置と協働することにより、自分宛ての情報の受信を行うようにする情報通信システムであって、
前記サーバ装置は、
前記携帯情報通信端末宛ての受信データを受信してメモリ部に記憶する受信手段と、
前記携帯情報通信端末からの接続要求に応じて回線接続するための処理を行う回線接続処理手段と、
前記携帯情報通信端末からの未受信一括取得要求を受信するたびに、前記携帯情報通信端末が、それまでに取得していない受信データのみを前記メモリ部から抽出して、前記携帯情報通信端末に提供する受信データ提供手段と
を備え、
前記携帯情報通信端末は、
前記サーバ装置への接続のためのアドレス情報を記憶するアドレス情報記憶手段と、
前記アドレス情報によって特定される前記サーバ装置に接続要求を送出する接続要求送出手段と、
前記サーバ装置に対する前記未受信一括取得要求の送信を指示するための未受信一括取得キーと、
前記未受信一括取得キーが使用者により操作されるたびに、前記未受信一括取得要求を送出する未受信一括取得要求送出手段と、
前記サーバ装置の前記受信データ提供手段からの前記受信データを受信する受信手段と
を備えることを特徴とする情報通信システム。
【請求項６】
前記携帯情報通信端末で前記未受信一括取得キーが操作されたときに、前記携帯情報通信端末と前記サーバ装置とが回線接続されていない場合には、
前記携帯情報通信端末は、前記接続要求送出手段より前記接続要求を前記サーバ装置に送出すると共に、前記未受信一括取得要求送出手段から前記未受信一括取得要求を前記サーバ装置に宛てて送出し、
前記サーバ装置の前記受信データ提供手段からの受信データの受信を終了した後には、前記回線接続を切断することを特徴とする請求項５に記載の情報通信システム。
【請求項７】
前記サーバ装置は、
前記携帯情報通信端末宛てに着信があったことを、前記携帯情報通信端末に通知する着信通知手段を備え、
前記携帯情報通信端末は、
前記サーバ装置からの前記着信の通知を受けて、当該着信を使用者に知らせる手段を備えることを特徴とする請求項５または請求項６に記載の情報通信システム。
【請求項８】
前記携帯情報通信端末と前記サーバ装置とが接続される前記ネットワークは、携帯型の電話端末用のネットワークを含み、前記携帯情報通信端末は、前記携帯型の電話端末用の無線基地局を通じて通信するための無線通信手段を備えることを特徴とする請求項５、請求項６または請求項７に記載の情報通信システム。
【請求項９】
前記携帯情報通信端末の前記接続要求送信手段は、自機の識別情報を含む前記接続要求を送出するものであり、
前記サーバ装置は、自機に接続可能とされた１つ以上の携帯情報通信端末の識別情報を記憶保持する識別情報記憶手段を備え、
前記サーバ装置の前記回線接続処理手段は、通信回線の接続要求に含まれる識別情報が、前記識別情報保持手段に記憶されているものである場合に、回線接続するための処理を行うことを特徴とする請求項５または請求項６に記載の情報通信システム。
【請求項１０】
携帯情報通信端末とネットワークを通じて接続され、前記携帯情報通信端末と協働することにより、前記携帯情報通信端末が、自分宛ての受信データを取得するようにするためのサーバ装置であって、
前記携帯情報通信端末宛ての受信データを受信してメモリ部に記憶する受信手段と、
前記携帯情報通信端末からの接続要求に応じて回線接続するための処理を行う回線接続処理手段と、
前記携帯情報通信端末からの未受信一括取得要求を受信するたびに、前記携帯情報通信端末が、それまでに取得していない受信データのみを前記メモリ部から抽出して、前記携帯情報通信端末に提供する受信データ提供手段と
を備えることを特徴とするサーバ装置。
【請求項１１】
前記携帯情報通信端末宛ての着信があったことを、前記携帯情報通信端末に通知する着信通知手段を備えることを特徴とする請求項１０に記載のサーバ装置。
【請求項１２】
自機に接続可能とされた１つ以上の携帯情報通信端末の識別情報を記憶保持する識別情報記憶手段を備え、
前記回線接続処理手段は、通信回線の接続要求に含まれる識別情報が、前記識別情報保持手段に記憶されているものである場合に、回線接続するための処理を行うことを特徴とする請求項１０に記載のサーバ装置。
【請求項１３】
ネットワークを通じてサーバ装置と接続され、前記サーバ装置により受信されて、蓄積されている自分宛ての受信データを取得するようにする携帯情報通信端末であって、
前記サーバ装置への接続のためのアドレス情報を記憶するアドレス情報記憶手段と、
前記アドレス情報によって特定される前記サーバ装置に接続要求を送出する接続要求送出手段と、
前記サーバ装置に対して、未だに取得していない未受信データのみの提供を要求する未受信一括取得要求の送信を指示するための未受信一括取得キーと、
前記未受信一括取得キーが使用者により操作されるたびに、前記未受信一括取得要求を送出する未受信一括取得要求送出手段と、
前記サーバ装置の前記受信データ提供手段からの前記受信データを受信する受信手段と
を備えたことを特徴とする携帯情報通信端末。
【請求項１４】
前記未受信一括取得キーが操作されたときに、前記携帯情報通信端末と前記サーバ装置とが回線接続されていない場合には、前記接続要求送出手段から前記接続要求を前記サーバ装置に送出すると共に、前記未受信一括取得要求送信手段から前記未受信一括取得要求を前記サーバ装置に送信し、
前記サーバ装置からの受信データの受信を完了した後には、前記回線接続を切断するようにすることを特徴とする請求項１３に記載の携帯情報通信端末。
【請求項１５】
前記サーバ装置からの着信の通知を受けて、当該着信を使用者に知らせる手段を備えることを特徴とする請求項１３または請求項１４に記載の携帯情報通信端末。
【請求項１６】
前記ネットワークは、携帯型の電話端末用のネットワークを含むものであり、
前記携帯型の電話端末用の無線基地局を通じて通信するための無線通信手段を備えることを特徴とする請求項１３、請求項１４または請求項１５に記載の携帯情報通信端末。
【請求項１７】
前記接続要求送信手段は、自機の識別情報を含む前記接続要求を送出するものであることを特徴とする請求項１３または請求項１４に記載の携帯情報通信端末。
【発明の詳細な説明】
【０００１】
【発明の属する技術分野】
この発明は、例えば、ファクシミリ通信や電子メール通信などの通信サービスを提供する情報通信方法、情報通信システム、および、これら方法、システムに用いられるサーバ装置、携帯情報通信端末に関する。
【０００２】
【従来の技術】
最近、ＰＨＳ端末などの携帯無線通信端末の普及と、これら携帯無線通信端末を用いたデータ通信の伝送速度の高速化により、音声通信だけでなく、例えばテキストデータや画像データなどの種々のデータを無線通信するようにする無線データ通信サービスが注目されている。
【０００３】
例えば、ＰＨＳ端末を使用する例では、伝送速度が３２ｋビット／秒でのデータ通信が可能となり、アナログ電話回線でモデムを使用した場合の伝送速度の２８．８ｋビット／秒または３３．６ｋビット／秒と同程度の伝送速度となり、電子メールのやり取りや、ファクシミリ通信などが、携帯無線通信端末により屋外から行える環境が整ってきている。
【０００４】
【発明が解決しようとする課題】
ところで、パーソナルコンピュータや携帯型情報処理表示端末などの情報通信端末を用いて、ネットワークに接続されたサーバ装置に蓄積されている自分宛ての電子メールの受信データを取得する場合には、まず情報通信端末とサーバ装置との間に通信回線を接続する。そして、情報通信端末は、自分宛ての電子メールの受信データであって、サーバ装置に蓄積されている電子メールの受信データの一覧リストの提供を受ける。
【０００５】
情報通信端末の使用者は、この受信データの一覧リストの中から、送信を要求する電子メールの受信データを選択し、サーバ装置に対して、選択した電子メールの受信データの送信を要求する。サーバ装置は、情報通信端末からの送信要求に応じて、要求された電子メールの受信データを抽出し、これを要求元の情報通信端末に送信する。これにより、情報通信端末の使用者は、自分宛ての電子メールの受信データを取得して、情報通信端末の表示画面に表示するなどして利用することができる。
【０００６】
この場合、受信データの一覧リストには、すでに過去に取り込んだことのある情報や新着の未だ取得したことがない情報（以下、未受信情報という）が混在して表示される。したがって、使用者は、新着の未受信情報のみを取得する場合にも、電子メールの受信データの一覧リストを通じて選択して、サーバ装置に取得要求を出す必要があり、操作手順が厄介であった。
【０００７】
また、未受信情報のみを取得するために、回線接続、リストからの選択および情報受信、回線切断までの操作をそれぞれ手動で使用者が行う必要があり、非常に不便であった。
【０００８】
この発明は、以上の点にかんがみ、サーバ装置に記憶されている未受信情報を、簡便な操作で取得できるようにする方法、システム、および、これらの方法、システムで用いられる携帯情報通信端末ならびにサーバ装置を提供することを目的とする。
【０００９】
【課題を解決するための手段】
上記課題を解決するため、請求項１に記載の発明の情報通信方法は、
サーバ装置と、携帯情報通信端末とがネットワークを通じて接続可能とされ、前記携帯情報通信端末宛ての受信データは、前記サーバ装置が受信してメモリ部に格納すると共に、前記サーバ装置は、前記携帯情報通信端末から受信データの取得要求を受けたときに、その取得要求に応じて指定された受信データを前記携帯情報通信端末に送るようにする情報通信方法において、
前記サーバ装置と前記携帯情報通信端末との間の回線接続は、前記携帯情報通信端末が記憶保持する前記サーバ装置への接続のためのアドレス情報を含む接続要求を、前記携帯情報通信端末から前記サーバ装置に宛てて送出することによりなされるようにされており、
前記携帯情報通信端末に、未受信一括取得キーを設け、前記携帯情報通信端末は、この未受信一括取得キーが使用者により操作されるたびに、未受信一括取得要求を前記サーバ装置に送信し、
前記サーバ装置は、前記携帯情報通信端末からの前記未受信一括取得要求が到来するたびに、前記携帯情報通信端末が、それまでに取得していない受信データのみを前記メモリ部から抽出して、前記携帯情報通信端末に送出することを特徴とする。
【００１０】
この請求項１に記載の発明の情報通信方法によれば、携帯情報通信端末には、未受信一括取得キーが設けられており、この未受信一括取得キーが使用者により操作されるたびに、携帯情報通信端末からサーバ装置に対して、未受信一括取得要求が送信される。この未受信一括取得要求は、サーバ装置により受信されて蓄積されている携帯情報通信端末宛ての受信データのうち、その携帯情報通信端末が、未だに取得していない受信データである未受信データの提供を要求するものである。
【００１１】
この未受信一括取得要求に応じて、サーバ装置より当該携帯情報通信端末宛ての未受信データが、当該携帯情報通信端末に提供され、携帯情報通信端末において利用することができるようにされる。
【００１２】
これにより、携帯情報通信端末は、未受信一括取得キーを操作するという極めて簡単な操作で、自己宛ての受信データであって、未だに取得していない未受信データの全部を自動的に取得することができる。
【００１３】
また、請求項２に記載の情報通信方法は、請求項１に記載の情報通信方法であって、
前記サーバ装置と前記携帯情報通信端末との間の回線接続は、前記携帯情報通信端末から接続要求を前記サーバ装置に宛てて送出することによりなされるものであり、
前記携帯情報通信端末は、
前記未受信一括取得キーが操作されたときに、前記携帯情報通信端末と前記サーバ装置とが接続されていない場合には、前記接続要求を前記未受信一括取得要求に先立ち、あるいは、同時に送信して、前記サーバ装置との間に通信回線を接続し、前記サーバ装置からの前記受信データの受信を完了した後には、前記サーバ装置との間で接続した前記通信回線を自動的に切断するようにすることを特徴とする。
【００１４】
この請求項２に記載の発明の情報通信方法によれば、携帯情報通信端末の未受信一括取得キーが操作されたときに、携帯情報通信端末とサーバ装置との間に通信回線が接続されていない場合には、接続要求が、未受信一括取得要求の送信に先だって、あるいは、未受信一括取得要求と共に、携帯情報通信端末からサーバ装置に送信されて、サーバ装置と携帯情報通信端末との間に通信回線が接続される。
【００１５】
この接続された通信回線を通じて、サーバ装置から携帯情報通信端末宛ての未受信データが、要求元の携帯情報通信端末に提供される。そして、携帯情報通信端末において、サーバ装置から送信されてくる未受信データの受信が完了したときには、接続した通信回線を切断する。このように、通信回線の接続、未受信データの取得、通信回線の切断までを一連の処理として、携帯情報通信端末の未受信一括取得キーを操作することにより行うことができるようにされる。
【００１６】
これにより、携帯情報通信端末においては、通信回線の接続操作や通信回線の切断操作などを行うことなく、極めて簡単な操作でサーバ装置に蓄積されている自己宛ての未受信データを取得することができる。
【００１７】
また、請求項３に記載の情報通信方法は、請求項１または請求項２に記載の情報通信方法であって、
前記サーバ装置は、前記携帯情報通信端末宛ての受信があったときに、前記携帯情報通信端末に着信通知を行い、前記携帯情報通信端末は、前記サーバ装置からの着信通知を受けたときに、使用者に着信を報知するようにすることを特徴とする。
【００１８】
この請求項３に記載の発明の情報通信方法によれば、サーバ装置において、携帯情報通信端末宛ての受信データが受信されると、受信データの宛先の携帯情報通信端末に対して、サーバ装置より着信通知がされる。携帯情報通信端末は、この着信通知を受けて、携帯情報通信端末の使用者に対して、自己宛ての受信データの着信があることを知らせる。
【００１９】
これにより、携帯情報通信端末の使用者は、自己宛ての受信データの着信があることを遅滞なく知ることができ、着信が報知された後に迅速に自己宛ての未受信データを簡単な操作で取得することができる。
【００２０】
【発明の実施の形態】
以下、この発明による情報通信方法、情報通信システムおよび携帯情報通信端末並びにサーバ装置の実施の形態を、図を参照しながら説明する。
【００２１】
以下に説明する実施の形態において、携帯情報通信端末は、携帯無線通信端末の構成とされたものである。そして、この実施の形態においては、１個の共通サーバ装置に対して、このサーバ装置と契約関係にある複数個の携帯無線通信端末がネットワークを通じて接続される。そして、各携帯無線通信端末から希望する相手方への情報送信および自分宛ての情報の受信は、個々の携帯無線通信端末と前記サーバ装置とが協働することにより、行われる。
【００２２】
［ネットワークシステムの説明］
図１は、この発明の実施の形態が適用された通信ネットワークシステムの概念構成を説明するための図であり、この図１において、１は共通サーバ装置と契約関係がある携帯無線通信端末、２は共通サーバ装置である。複数個の携帯無線通信端末１と、共通の共通サーバ装置２とは、携帯無線通信端末用のネットワーク３と、このネットワーク３に対して、１〜複数個のアクセスポイント４を通じて接続される専用基幹ネットワーク５を通じて接続される。
【００２３】
携帯無線通信端末用ネットワーク３には、共通サーバ装置２と契約関係にない他の携帯無線通信端末も接続されるが、後述するような共通サーバ装置２の協働処理のサービスを受けることができる携帯無線通信端末は、予め、この共通サーバ装置２と契約関係が結ばれた携帯無線通信端末１のみである。共通サーバ装置２との契約関係がない携帯無線通信端末との混同を避けるため、以下の説明においては、共通サーバ装置２と契約関係にある携帯無線通信端末を会員端末と呼ぶことにする。
【００２４】
複数個の会員端末１および他の同種の携帯無線通信端末のそれぞれは、例えば電波の届く範囲を考慮した所定のエリア単位に設けられる無線基地局６に対して無線接続される。無線基地局６同志の間の接続など、携帯無線通信端末用のネットワーク３では、例えば光ケーブルが用いられる。
【００２５】
専用基幹ネットワーク５に対しては、このネットワーク５を管理するネットワーク管理サーバ装置７が接続される。このネットワーク管理サーバ装置７は、共通サーバ装置２と会員端末１との間の、いわゆるルーティングを管理する。したがって、ネットワーク管理サーバ装置７でのルーティング管理上から見たときには、共通サーバ装置２は、専用基幹ネットワーク５に接続される端末装置の一つとして位置づけることができる。なお、この場合、このネットワーク管理サーバ装置７は、インターネット８に対しても接続される。
【００２６】
そして、この実施の形態においては、ネットワーク管理サーバ装置７は、共通サーバ装置２に対して直接的にも接続され、会員端末１からの共通サーバ装置２へのアクセス履歴などを、ネットワーク管理サーバ装置７から共通サーバ装置２に送るように構成されている。すなわち、この実施の形態では、会員端末１の課金ログ収集などの会員総合管理は、共通サーバ装置２が行うように構成している。
【００２７】
つまり、この実施の形態の場合、会員端末１は、共通サーバ装置２と契約関係があるのであって、ネットワーク管理サーバ装置７と契約関係にあるのではない。そして、共通サーバ装置２は、会員端末１のネットワーク接続上の管理をネットワーク管理サーバ装置７に委託するものであって、共通サーバ装置２とネットワーク管理サーバ装置７との間にも契約関係がある。したがって、共通サーバ装置２は、他の専用基幹ネットワークおよびそのネットワーク管理サーバ装置とも、前述の専用基幹ネットワーク５およびそのネットワーク管理サーバ装置７と全く同様の関係を持って接続されることが可能である。
【００２８】
この実施の形態の場合、共通サーバ装置２から見たときには、個々の会員端末１に対しては、特定の専用基幹ネットワークを割り当てて、各会員端末１からの共通サーバ装置２へのアクセスは、必ず、その会員端末用に割り当てた専用基幹ネットワークを通るように管理するのであるが、会員端末１から見た場合には、共通サーバ装置２とネットワーク管理サーバ装置７との間の契約関係は全く無関係であるので、会員端末１は、単に共通サーバ装置２だけにアクセスして共通サーバ装置２だけにより管理されているようになる。
【００２９】
このようなネットワーク管理構成によれば、例えば、共通サーバ装置２に個々のネットワーク管理サーバ装置７が備えるサービス機能をすべて持たせるようにすることにより、会員端末１の使用者は、各個のネットワーク管理サーバ装置７が備える種々のサービスを受けるために、個々のネットワーク管理サーバ装置７に対して契約するのではなく、共通サーバ装置２と契約関係を生じさせるだけで、この共通サーバ装置２が持つ種々のサービスを受けられるようになり、非常に便利である。
【００３０】
そして、共通サーバ装置２は、公衆回線網９に接続され、後述するように、会員端末１が、この公衆回線網９に接続されるファクシミリ端末やパーソナルコンピュータなどの通信端末１０との間で通信データの送受を行うことができるようにするための機能を備えている。
【００３１】
さらに、この実施の形態においては、共通サーバ装置２は、会員端末１に対して、情報提供サービスを行えるように構成されていると共に会員端末１はこの情報提供サービスを受ける機能を備えて構成されている。このため、共通サーバ装置２に対しては、提供情報のデータベースの一部となる記憶部を備える。また、共通サーバ装置２は、コンテンツ提供装置１１と接続されており、このコンテンツ提供装置１１から、会員への提供情報のデータベースの一部となる情報を取得して、会員端末１に提供するようにする。
【００３２】
コンテンツ提供装置１１は、会員に提供する情報として、それぞれ固有の提供情報を有する提供会社が備えるもので、共通サーバ装置２を有するサービス会社との契約により、共通サーバ装置２を通じて会員端末１に、その情報を提供するものである。図１では、コンテンツ提供装置１１は、１個だけ示したが、通常、複数個のコンテンツ提供装置１１が共通サーバ装置２に接続されるものである。
【００３３】
また、共通サーバ装置２とコンテンツ提供装置１１との接続態様は、専用線を通じて接続される場合と、インターネットなどのネットワークを通じて接続される場合とがある。
【００３４】
この実施の形態においては、携帯無線通信端末１の使用者と、共通サーバ装置２の所有会社との契約が行われると、前述したように、携帯無線通信端末１は会員端末１となる。例えば、会員端末１を使用者が購入することが、共通サーバ装置２に対する契約関係の発生とするようにすることができる。
【００３５】
すなわち、携帯無線通信端末を会員端末１として使用者が購入するときに、その会員端末１には、前述したように、各端末ごとの特定の専用基幹ネットワークを通じた共通サーバ装置２のアドレス情報が予め与えられ、不揮発性メモリに格納される。また、この不揮発性メモリには、会員端末であることを示す会員情報として、識別情報やパスワードが格納される。
【００３６】
ただし、この共通サーバ装置２のアドレス情報や会員情報の会員端末１への書き込み登録は、会員端末１の購入時に、端末販売員や購入者が行ってもよいが、予め、会員端末１に登録しておくとよい。その場合には、アドレスを入力する操作が全く不要となるので、使用者には共通サーバ装置を意識させずに、会員端末１を利用させるようにすることができる。
【００３７】
そして、後述もするように、会員端末１で、ファクシミリ通信や電子メール通信の処理が開始されるとき、それに先立ち、前記の予め記憶されているアドレス情報および会員情報を用いて、会員端末１は、自動的に共通サーバ装置２に接続する処理を実行するものである。
【００３８】
この実施の形態においては、会員端末１は、携帯性に優れ、また、その通信機能およびその関連機能を、共通サーバ装置２と協働することにより、実現するものである。
【００３９】
すなわち、会員端末１は、大容量のメモリを有しない。その代わりに、共通サーバ装置２が、各会員端末１用のメモリあるいはメモリエリアを備える。また、会員端末１は、必要最小限の処理のためのアプリケーション（マイクロコンピュータのソフトウエア）を除き、種々の機能を実現するためのアプリケーションを、共通サーバ装置２に委ねるようにしている。すなわち、会員端末１において、使用者が、目的とする機能を得るための要求に相当する、例えばキー操作を行うと、その要求が共通サーバ装置２に送られ、共通サーバ装置２で当該機能のアプリケーションが実行される。そして、そのアプリケーションでの処理結果が、会員端末１に送られてくる。
【００４０】
以上が、この発明の実施の形態のネットワーク構成の概要であるが、より具体的な構成について以下に説明する。
【００４１】
図２は、上述した図１の通信ネットワークシステムの概念構成を、より具体化したものである。この場合、会員端末１は、ＰＨＳ電話端末と、データ通信機能を備えるＰＤＡ（パーソナル・デジタル・アシスタンツ）との複合機の構成を有し、ＰＨＳ電話機能のほかに、後述するように、ファクシミリ通信機能、電子メール通信機能を備えると共に、共通サーバ装置２に蓄積されたサービスコンテンツのうちからの情報の提供を受ける機能を備えている。
【００４２】
無線基地局６が接続される携帯無線通信端末用のネットワーク３は、この例では、ＰＨＳ／ＩＳＤＮ網３ｎである。したがって、会員端末１は、無線基地局６−ＰＨＳ／ＩＳＤＮ網３ｎ−無線基地局６を通じて、他の会員端末１または会員以外のＰＨＳ端末と電話通信ができると共に、無線基地局６−ＰＨＳ／ＩＳＤＮ網３ｎを通じて一般加入電話端末と電話通信ができる。
【００４３】
専用基幹ネットワーク５は、この例では、ＩＳＰ（インターネット・サービス・プロバイダー）が管理するネットワークとされる。すなわち、５Ｎは、そのＩＳＰバックボーン、つまり、ＬＡＮなどのネットワークであり、このＩＳＰバックボーン５ＮとＰＨＳ／ＩＳＤＮ網３ｎとは、ＰＨＳ用の３２ｋビット／秒の伝送速度の業界標準方式であるＰＩＡＦＳ（ＰＨＳ  Ｉｎｔｅｒｎｅｔ  Ａｃｃｅｓｓ  Ｆｏｒｕｍ  Ｓｔａｎｄａｒｄ）用のアクセスポイント４Ｐを通じて接続されている。
【００４４】
また、５ＮはこのＩＳＰ用のルータであり、これを介して、ＩＳＰバックボーン５Ｎと、ネットワーク管理サーバ装置７に対応するＩＳＰサーバ装置７Ｉと、共通サーバ装置２とが接続される。
【００４５】
ＩＳＰサーバ装置７Ｉは、共通サーバ装置２側の委託により、前述したように、会員端末１からのアクセスがあったときに、その認証をとる。すなわち、ＩＳＰサーバ装置７Ｉには、このＩＳＰサーバ装置７Ｉを経由して共通サーバ装置２にアクセスする会員端末１の会員情報、例えば会員識別情報（会員ＩＤ）やパスワードなどが予め登録されており、ＩＳＰサーバ装置７Ｉは、当該ＩＳＰバックボーン５Ｎに接続された端末に対するアクセスがあったときに、そのアクセスをしてきた端末が、当該ＩＳＰバックボーン５Ｎを通じて共通サーバ装置２に接続すべき会員端末１であるか否かの認証を行い、会員端末１であれば、そのアクセスをルータ５Ｒを通じて共通サーバ装置２に着信させる。そして、ＩＳＰサーバ装置７Ｉは、当該会員端末１のアクセスの履歴（ログ）を共通サーバ装置２に送る。
【００４６】
なお、コンテンツ提供装置１１は、この例では、インターネット８を通じて共通サーバ装置２に接続され、共通サーバ装置２が必要なときに、このコンテンツ提供装置１１から提供すべき情報をインターネット８を通じて取得して、会員端末１に提供するようにする。なお、前述もしたように、コンテンツ提供装置１１は、インターネット８を通じてではなく、専用線を通じて共通サーバ装置２と接続するようにすることもできる。また、ＩＳＰサーバ装置７Ｉもコンテンツ提供装置となることもできる。
【００４７】
［共通サーバ装置２の構成］
図３は、共通サーバ装置２の一実施の形態の構成を示すブロック図である。この図３に示すように、共通サーバ装置２は、マスターサーバ２１と、メールサーバ２２と、ファクシミリサーバ２３と、着信通知サーバ２４と、ＨＴＴＰ（Ｈｙｐｅｒ  Ｔｅｘｔ  Ｔｒａｎｓｆｅｒ  Ｐｒｏｔｏｃｏｌ）Ｄサーバ２５と、コンテンツサーバ２６と、コンテンツ用Ｐｒｏｘｙサーバ２７とが、ＬＡＮ（ローカルエリアネットワーク）により接続されて構成されている。
【００４８】
マスターサーバ２１は、会員データの管理、コンテンツオプション等の申し込み、解約処理やネットワーク全体の管理メンテナンスを行う。マスターサーバ２１は、前述した会員ＩＤやパスワードなどの会員識別情報を含む会員データ（ユーザ情報）などを記憶するメモリ２１Ｍを備える。
【００４９】
メールサーバ２２は、主としてメールサービスの管理・運用を行うものであり、ＰＯＰ（Ｐｏｓｔ  Ｏｆｆｉｃｅ  Ｐｒｏｔｏｃｏｌ）サーバ機能を実装しており、会員端末１とのインターフェース処理を行う。そして、メールサーバ２２は、会員端末用のメールボックスと呼ばれるメモリ２２Ｍを備える。メールボックス２２Ｍは、各会員端末１のそれぞれ毎に区分けされたメモリエリアを備え、各会員端末宛ての電子メールの受信データを、各会員端末毎に蓄える。
【００５０】
なお、この実施の形態では、後述するように、ある会員端末から他の会員端末宛てに送信された、イメージデータ（画像データ）を含まないテキストデータ形式のファクシミリデータも、このメールボックス２２Ｍの前記他の会員端末用のメモリエリアに、電子メールデータとして蓄えられる。
【００５１】
ファクシミリサーバ２３は、ファクシミリ通信機能のアプリケーションを実行する。会員端末１とのインターフェース用にメールサーバ機能を実装し、また、Ｇ３ファクシミリ用のＰＳＴＮ（公衆交換電話網）通信回線機能も実装し、ＩＳＤＮ網９に接続されている。また、ファクシミリデータとしての画像データを記憶するファクシミリボックス（以下ＦＡＸボックスという）と呼ばれるメモリ２３Ｍを備える。ＦＡＸボックス２３Ｍも、各会員端末毎に区分けされたメモリエリアを備え、各会員端末宛ての、イメージデータを含むファクシミリ受信データを各会員端末１毎に蓄える。
【００５２】
着信通知サーバ２４は、電子メールやファクシミリの着信が会員端末宛てにあった場合に、ＩＳＤＮ回線（ＩＳＤＮ網９）を通じて、各会員端末１に通知するためのものである。この着信通知サーバの動作については、後で詳述する。
【００５３】
ＨＴＴＰＤサーバ２５は、会員端末１とのインターフェースを制御する。会員端末１が、この共通サーバ装置２に接続されている場合のすべての処理は、このサーバ２５を経由して各機能サーバに接続される。
【００５４】
コンテンツサーバ２６は、共通サーバ装置２が提供するコンテンツ情報処理用のサーバである。このサーバ２６は、提供するコンテンツ情報用として、２つのメモリ２６Ａ，２６Ｂを備える。その一つのメモリ２６Ａは、予めこのサーバ２６内に提供する情報を保持するためのものである。もう一つのメモリ２６Ｂは、この共通サーバ装置２内には、提供する情報を保持せず、利用時に、インターネット経由でデータを取得したものを格納するためのものである。
【００５５】
コンテンツ用Ｐｒｏｘｙサーバ２７は、コンテンツデータを、インターネットを経由して、外部から取得するために使用される。Ｐｒｏｘｙサーバ２７は、図示しないファイアウォールと共に機能させることによって、外部からの不正なアクセスを防御しながら、ファイアウォールの内側から自由に外部にアクセスできる環境を作っている。
【００５６】
以上のように、共通サーバ装置２は、ファクシミリ通信を実行するアプリケーションを備えるほか、会員端末１が要求する機能を実行するためのアプリケーションを備えるものである。
【００５７】
［会員端末１について］
次に、会員端末１について説明する。図４は、会員端末１の外観の一例であり、また、図６は、この会員端末１の内部回路構成の一例である。前述もしたように、この例の会員端末１は、ＰＨＳ電話機能と、ファクシミリ通信および電子メール通信機能と、情報提供サービスを受けるデータ通信機能を備える複合端末の構成を有するものである。
【００５８】
この実施の形態の会員端末１は、図４（Ａ）および図４（Ｂ）に示すように、端末本体１００に対して開閉可能のカバーパネル１０１を備え、このカバーパネル１０１を閉じた図４（Ａ）の状態では、ＰＨＳ電話端末として動作する電話モードになり、カバーパネル１０１を開いた図４（Ｂ）の状態では、ファクシミリ通信機能と、電子メール通信機能と、情報提供サービス受信機能とを得ることができるデータ通信モードになる。このモード切り換えのために、図示しないが、カバーパネル１０１の開閉を検知するセンサが設けられている。
【００５９】
このセンサとしては、例えばカバーパネル１０１の内側に突起を設けると共に、これと対応する本体１００側の位置に押圧スイッチを設け、カバーパネル１０１の前記突起により、機械的に本体１００側の押圧スイッチを押圧する機械的なセンサを用いる。
【００６０】
また、カバーパネル１０１と本体１００との一方に、磁石を設け、他方に感磁性素子からなるスイッチを設ける構成のセンサスイッチを用いるようにしてもよい。
【００６１】
そして、会員端末１は、図４（Ｂ）に示すように、カバーパネル１０１を開けた状態のときに現れる本体１００側の面に、大型のメインＬＣＤ（液晶ディスプレイ）１０５Ｍを備え、このメインＬＣＤ１０５Ｍの表示面に、通信文、メニュー、受信ファクシミリリストや受信電子メールリストなどを表示することができる。
【００６２】
カバーパネル１０１の表側には、図４（Ａ）に示すように、電話用（ダイヤル用）のテンキー１０２が設けられていると共に、小さいサイズのサブＬＣＤ１０５Ｓが設けられている。１０３は、ＰＨＳ用のアンテナである。
【００６３】
そして、カバーパネル１０１を閉じた図４（Ａ）の状態では、例えば透明プラスチック板などからなるＬＣＤ窓１０４を通じてＬＣＤ１０５の表示面が臨めるようにされる。この場合、カバーパネル１０１を閉じた電話モードにおいて、待ち受け状態のときには、サブＬＣＤ１０５Ｓのみが表示状態となり、メインＬＣＤ１０５Ｍは消灯状態となっている。
【００６４】
そして、電話モードにおいて、例えば発呼をするときには、メインＬＣＤ１０５Ｍが表示可能状態となる。しかし、この場合に、ＬＣＤ表示窓１０４から臨める部分だけに表示が行われるように、メインＬＣＤ１０５Ｍが表示制御されている。そして、ＬＣＤ表示窓１０４から臨める部分に、使用者により入力された電話番号などが表示されるようにされる。
【００６５】
図５は、電話モードでカバーパネル１０１において使用者が観視する表示部の様子を示すもので、図５（Ａ）は待ち受け状態でのサブＬＣＤ１０５Ｓおよび表示窓１０４での表示状態の例を示し、また、図５（Ｂ）は発呼時のサブＬＣＤ１０５Ｓおよび表示窓１０４での表示状態の例を示すものである。
【００６６】
この場合、この図５において、サブＬＣＤ１０５Ｓに表示される各マーク（文字を含む）２０１〜２０７は、それぞれ、それらマークが表示されることにより、次のような意味内容を示すものである。
【００６７】
すなわち、マーク２０１は、会員端末１が電波が届く場所に在って、受けている電波の強さを示すものであり、電波の強さに応じて表示内容が変化する。例えば、アンテナマークの右のバーが強さによって変化する。マーク２０２は、会員端末１が公衆モードで使用されていることを示す。マーク２０３は、会員端末１が電波の届かない場所に在ることを示す。マーク２０４は、電池の残量を示すもので、残量に応じて表示態様が変わる。
【００６８】
マーク２０５は、自己の端末宛てのファクシミリ着信があることを示すファクシミリ着信マークで、後述するように共通サーバ装置２からのファクシミリ着信通知を受けて表示される。また、マーク２０６は、自己の端末宛ての電子メールの着信があることを示す電子メール着信マークで、共通サーバ装置２からの電子メール着信通知を受けて表示される。マーク２０７は、端末１の電話着信の使用者への報知態様がベル鳴動ではなく、振動によるものとなっていることを示すものである。
【００６９】
カバーパネル１０１を開くと、サブＬＣＤ１０５Ｓの表示は、使用者には見えなくなるので、会員端末１がデータ通信モードになると、サブＬＣＤ１０５Ｓは消灯状態になり、メインＬＣＤ１０５Ｍが表示可能状態になる。そして、それまでサブＬＣＤ１０５Ｓに表示されていた前記マーク２０１〜２０７は、メインＬＣＤ１０５Ｍの、サブＬＣＤ１０５Ｓに対応する表示エリアに表示されるように制御される。
【００７０】
この実施の形態の会員端末１においては、メインＬＣＤ１０５Ｍの表面には透明のタッチパネル１０６が貼付されており、カバーパネル１０１の裏側に、図４（Ｂ）のように取り外し自在に取り付けられているペン１０７によるタッチ操作や、手書き文字入力を受け付ける機能を備えるようにしている。
【００７１】
また、カバーパネル１０１の裏側には、実行可能な処理機能に対応して、オンライン接続キーＫ１、未受信一括取得キーＫ２、機能キーＫ３、メモキーＫ４、電話帳キーＫ５、ＷＷＷブラウザキーＫ６、ファックスキーＫ７、電子メールキーＫ８などの複数個のキー釦１０８が、ダイレクトキーとして設けられている。これら各キーＫ１〜Ｋ８が操作されることにより、後述するように操作されたキーに割り当てられている処理や機能が実行するようにされる。
【００７２】
さらに、メインＬＣＤ１０５Ｍの右横には、回動キーと押しボタンキーとの２つの機能を合わせ持つジョグダイヤルキー１０９が設けられる。このジョグダイヤルキー１０９を回動キーとして回動操作したときには、例えばメニューなどにおける項目選択動作が行え、また、押しボタンキーとして押下操作したときには、選択された項目の決定入力を意味するものとして扱われる。
【００７３】
次に、図６の会員端末１の回路ブロックについて説明する。
この例の会員端末１は、大きく分けて、通信機能部１１０と、制御部１２０とからなる。
【００７４】
通信機能部１１０は、アンテナ１１１と、ＲＦ処理部１１２と、送受信データ処理部１１３と、マイクロホンアンプ１１４と、スピーカアンプ１１５と、マイクロホン１００ＭＣと、スピーカ１００ＳＰとからなる。
【００７５】
制御部１２０は、マイクロコンピュータにより構成されており、ＣＰＵで構成されるシステムコントロール部１２１と、ＲＯＭ１２２と、ＤＲＡＭ１２３と、書き換え可能な不揮発性メモリとしてのフラッシュメモリ１２４とを備えている。
【００７６】
システムコントロール部１２１には、カバーパネル１０１の開閉に応じてオン・オフする前述したようなセンサスイッチＳＷが接続されており、このセンサスイッチＳＷのオン・オフにより、カバーパネル１０１が開状態か、閉状態かをシステムコントロール部１２１は検知し、カバーパネル１０１が閉状態のときには、当該会員端末１をＰＨＳ電話用端末として制御する電話モードとする。また、カバーパネル１０１が開状態のときには、当該会員端末１を、ファクシミリ通信用、メール通信用、共通サーバ装置２から提供される情報の再生用などの端末として制御するデータ通信モードとする。
【００７７】
システムコントロール部１２１には、また、テンキー１０２のキースイッチ群や、カバーパネル１０１の裏側に設けられたキー釦１０８のスイッチ群の状態を示す情報が入力されるようにされており、システムコントロール部１２１は、使用者によりキー操作がなされたとき、それがテンキー１０２やキー釦１０８のいずれかであるかを検知し、その検知したキーに応じた処理を実行するようにする。
【００７８】
また、システムコントロール部１２１には、メインＬＣＤドライバ１２５およびサブＬＣＤドライバ１２８が接続され、後述するＲＯＭ１２２のプログラムおよび表示データを用いてメインＬＣＤ１０５ＭおよびサブＬＣＤ１０５Ｓに、前述したマーク表示や、その他の所定の表示画像を表示するようにする。
【００７９】
また、システムコントロール部１２１には、使用者への、電話の着信通知のためのブザー１２７やＬＥＤ（発光ダイオード）１２６が接続されている。
【００８０】
ＲＯＭ１２２には、共通サーバ装置２との接続のためのシーケンスを制御するプログラムや、共通サーバ装置２からの着信通知を受けた場合の制御プログラムや、ＰＨＳ電話通信のための制御プログラム、ファクシミリ送信のための制御プログラム、メール送信のための制御プログラム、ファクシミリデータやメールデータを受信するための制御プログラムなどの会員端末１での通信のために最低限必要な通信アプリケーションプログラムと、メインＬＣＤ１０５ＭやサブＬＣＤ１０５Ｓを表示制御するプログラムやメニュー表示などのための表示データ、その他が記憶されている。
【００８１】
ＤＲＡＭ１２３は、後述するように、共通サーバ装置２から取得した受信データを一時的に蓄えたり、その他、ワークエリアとして使用するメモリを領域を備えるものである。
【００８２】
フラッシュメモリ１２４には、前述したように、共通サーバ装置２に対してＩＳＰサーバ装置７Ｉを通じて会員端末１から自動接続するためのネットワーク上のアドレス情報が予め格納されている。また、このフラッシュメモリ１２４には、当該会員端末１が共通サーバ装置２と契約関係のある端末であって、ファクシミリ通信サービスや電子メールサービス、また、情報提供サービスを共通サーバ装置２から受けることができる端末であることを示すと共に、各会員端末を識別するための識別情報（会員情報）も記憶されている。
【００８３】
この会員情報は、前述もしたように、共通サーバ装置２のメインサーバ２１にも記憶されて共通サーバ装置２においても管理されている。また、ＩＳＰサーバ装置７Ｉも、この会員情報によりアクセスしてきたのが会員であるか否かの認証を行うものである。
【００８４】
さらに、また、このフラッシュメモリ１２４には、ＤＲＡＭ１２３に一時的に蓄えた受信データの内の、特に保存しておきたいデータを格納する領域を備えている。
【００８５】
以上のような構成を備える会員端末１の動作を、関連する共通サーバ装置の動作も含めて、以下に説明する。
【００８６】
［ＰＨＳ電話モードについて］
まず、ＰＨＳ電話モードについて説明する。カバーパネル１０１を閉じた状態で、テンキー１０２を用いて、相手方の電話番号をダイヤル入力すると、発呼がなされる。また、カバーパネル１０１を閉じた状態で、ＰＨＳ電話端末としての当該会員端末１に電話の着信があると、それがブザー１２７により使用者に知らされ、使用者が応答すると、その電話着信を受けることができ、通話状態になる。
【００８７】
なお、カバーパネル１０１を開いた状態で電話着信があったときには、図示しないが、会員端末１に設けられている通話キーを押すことにより、いつでも通話が可能である。ただし、通話は、カバーパネル１０１を閉じた状態で行うようにする。
【００８８】
そして、会員端末１は、このＰＨＳ電話通話時には、システムコントロール部１２１からの制御を送受信データ処理部１１３が受けながら、送話信号を送信し、また、受話信号を受信する。
【００８９】
すなわち、マイクロホン１００ＭＣからの音声信号がアンプ１１４を介して送受信データ処理部１１３に供給されて送信データに変換され、ＲＦ処理部１１２を通じ、アンテナ１１１を通じて無線基地局６に対して送信されると共に、無線基地局６よりの相手側からの通話音声のデータがアンテナ１１１で受信され、その受信データが送受信データ処理部１１３で処理されて、相手の通話音声信号が復元され、それがアンプ１１５を通じてスピーカ１００ＳＰに供給されて放音される。
【００９０】
なお、この電話モードの待ち受け状態において共通サーバ装置２からのＩＳＤＮ網９（ＰＨＳ／ＩＳＤＮ網３ｎと一部重複）を通じての疑似着呼による着信通知があると、前述したサブＬＣＤ１０５Ｓに、ファクシミリまたは電子メールの着信通知マーク２０５または２０６を表示して、使用者にこれらファクシミリまたは電子メールの着信が報知される。
【００９１】
［データ通信モードについて］
次に、データ通信モードについて説明する。この通信モードにおいては、ファクシミリ機能、電子メール機能、ＷＷＷブラウザ機能、メモ機能などを会員端末１は、実現できるように構成されている。そして、キー釦１０８の内の各機能に対応するダイレクトキーを操作することにより、会員端末１は、その機能を実行するモードの状態になる。
【００９２】
この実施の形態の会員端末１において、ファクシミリデータの送信および受信をする場合、また、電子メールの送信および受信をする場合は、すべて共通サーバ装置２を介して処理される。
【００９３】
そして、会員端末１と共通サーバ装置２との間でのデータのやり取りにおいては、ファクシミリ通信方式としての既定の通信方式に関係なく、すべてネットワーク３およびネットワーク５に適合する通信方式によって行うようにする。すなわち、この実施の形態の場合には、ファクシミリデータと電子メールデータとは、インターネットで電子メールを転送するのに用いられる標準的な手順であるＳＭＴＰ（Ｓｉｍｐｌｅ  Ｍａｉｌ  Ｔｒａｎｓｆｅｒ  Ｐｒｏｔｏｃｏｌ）を用い、また、ＷＷＷブラウザ機能における共通サーバ装置２からの提供情報は、ＨＴＴＰ（Ｈｙｐｅｒ  Ｔｅｘｔ  Ｔｒａｎｓｆｅｒ  Ｐｒｏｔｏｃｏｌ）を用い、ＰＨＳ網を利用したＰＩＡＦＳ方式により、会員端末１と共通サーバ装置２との間で送信データおよび受信データをやり取りする。
【００９４】
なお、ＷＷＷブラウザ機能における共通サーバ装置２と会員端末１との間でやり取りするデータは、ＨＴＭＬ（Ｈｙｐｅｒ  Ｔｅｘｔ  Ｍａｒｋｕｐ  Ｌａｎｇｕａｇｅ）で作成される。
【００９５】
この場合、会員端末１においては、送信データは、ＤＲＡＭ１２３に一時格納され、送信実行によりシステムコントロール部１２１により読み出されて、前述の通信プロトコルおよびデータ形式で、送受信データ処理部１１３、ＲＦ処理部１１２、アンテナ１１１を順次介して無線送信される。
【００９６】
また、共通サーバ装置２からの受信データは、アンテナ１１１で受信され、ＲＦ処理部１１２、送受信データ処理部１１３を通じて、システムコントロール部１２１によりＤＲＡＭ１２３に一時格納される。そして、システムコントロール部１２１の制御により、メインＬＣＤドライバ１２５を通じてメインＬＣＤ１０５Ｍに表示データとして送られ、受信データによる表示内容が表示される。
【００９７】
メモ機能には、ペン１０７とタッチパネル１０６とを用いて入力を行う「手書きメモ」と、メインＬＣＤ１０５Ｍの画面にキーボードを表示して、その表示キーボードを利用して文書を作成する「タイプメモ」とがある。そして、手書きメモとタイプメモのいずれの場合も、作成したイメージまたは文書をファクシミリデータとして送信できるように構成されている。
【００９８】
「手書きメモ」の場合には、使用者によってペン１０７が用いられて手書き入力された文字や図形が、タッチパネル１０６を通じてイメージデータとして読み込まれ、ファクシミリ送信用のバッファメモリに記憶される。この場合、イメージデータのデータ形式は、ＳＭＴＰにより伝送可能なデータ形式とされる。例えばＧＩＦ（Ｇｒａｆｉｃｓ  Ｉｎｔｅｒｃｈａｎｇｅ  Ｆｏｒｍａｔ）形式とされる。
【００９９】
また、「タイプメモ」の場合には、メインＬＣＤ１０５Ｍの画面に、例えばアルファベットのタイプ入力キーボタンがグラフィックスイメージとして表示されて、そのタイプ入力キーがペン１０７や指で指示されることにより、文字入力がなされる。この場合には、入力データはテキストデータ形式でファクシミリ送信用のバッファメモリに記憶される。
【０１００】
手書きメモまたはタイプメモのいずれのモードの場合においても、メインＬＣＤ１０５Ｍの画面上には、「ＦＡＸ送信（ファクシミリ送信）」のアイコンを含むメニューバーが表示され、この「ＦＡＸ送信」のアイコンが例えばペンで選択されると、送信すべき相手方端末の電話番号や、ファクシミリタイトルなどの入力モード画面になる。そして、相手方端末の電話番号やタイトルの入力後、このモードのときに表示されている「送信」のアイコンを選択すると、手書きメモあるいはタイプメモで作成されたイメージまたは文書がファクシミリデータとして送信される。
【０１０１】
ただし、前述したように、この場合にファクシミリデータは電子メールデータとして共通サーバ装置２に送信されるので、イメージデータおよび文書データはファクシミリ通信のビットマップデータではなく、イメージデータは例えばＧＩＦ形式とされ、また、文書データは、テキストデータ形式とされる。
【０１０２】
そして、宛先が会員以外のときには、共通サーバ装置２が、受け取ったデータを、ビットマップデータに変換して、当該会員以外の端末にファクシミリ送信する処理を実行する。
【０１０３】
一方、宛先が会員端末１であるときには、共通サーバ装置２は、受け取ったデータを、テキストデータ形式やＧＩＦ形式のまま、宛先の各会員端末ごとに区分けして、メールボックス２２ＭあるいはＦＡＸボックス２３Ｍに格納し、各会員端末１に対しては、着信通知サーバ２４を通じて当該会員端末１宛ての着信があったことを通知する。この着信通知は、ファクシミリデータ受信の場合だけでなく、電子メールのデータ受信のときにも行われる。
【０１０４】
そして、後述するように、共通サーバ装置２は、各会員端末１から自分宛てのファクシミリ受信情報の取得要求があったときに、そのテキストデータ形式やＧＩＦ形式のまま、ＳＭＴＰにより取得要求をしてきた会員端末１に転送するようにする。
【０１０５】
キー釦１０８のうちのファクシミリキーＫ７が押されて、ファクシミリ機能が選択されているときに、キー釦１０８のうちのオンライン接続キーＫ１が押されると、その会員端末１は、共通サーバ装置２と接続するための処理を自動的に行う。すなわち、フラッシュメモリ１２４のアドレスデータおよび会員情報を用いて共通サーバ装置２と接続する要求を会員端末１は送出する。すると、ネットワーク管理サーバであるＩＳＰサーバ７Ｉが当該アクセスしてきた端末が会員端末であるかどうかの認証を前記会員情報により行い、会員端末であれば、共通サーバ装置２に接続する処理を行う。
【０１０６】
共通サーバ装置２は、接続された会員端末を認識し、当該会員端末宛てに受信したファクシミリ受信データの一覧リストを作成し、当該会員端末１に送る。したがって、この例では、オンライン接続キーＫ１は、受信データ一覧リストの要求キーの役割も有する。また、この際に、共通サーバ装置２は、接続要求をしてきた会員端末１宛てのファクシミリ着信および電子メール着信であって、いまだ当該会員端末１に通知していないものがあれば、その着信通知を会員端末１に宛てて送る。
【０１０７】
会員端末１は、共通サーバ装置２からの着信通知を受けて、メインＬＣＤ１０５Ｍに、前述したファクシミリ着信表示マーク２０５および／または電子メール着信表示マーク２０６を表示する。
【０１０８】
また、会員端末１は、共通サーバ装置２からの、ファクシミリ受信データの一覧リストのデータを受信してＤＲＡＭ１２３に一時格納し、その一覧リストをメインＬＣＤ１０５Ｍの画面に表示する。使用者は、ジョグダイヤルキー１０９やペン１０７を用いて、この一覧リストから希望するファクシミリ受信データを選択することができる。希望するファクシミリ受信データの選択がなされ、「取り込み」のアイコンが選択されると、会員端末１は、当該受信データの取得の要求を、共通サーバ装置２に送信する。
【０１０９】
このファクシミリ受信データの取得要求を受けると、共通サーバ装置２は、要求されたファクシミリ受信データを抽出して、ＳＭＴＰにより会員端末１に送る。会員端末１は、受け取ったデータをＤＲＡＭ１２３に一時格納し、表示データに変換し、メインＬＣＤ１０５Ｍの画面に表示する。したがって、使用者は、自分が必要なファクシミリデータを選んで、メインＬＣＤ１０５Ｍの画面で見ることができる。
【０１１０】
また、キー釦１０８のうちの電子メールキーＫ８が押されて、電子メール機能が選択されているときに、キー釦１０８のうちのオンライン接続キーＫ１が押されたときも、ファクシミリ機能が選択されていた場合と同様にして、その会員端末１は、共通サーバ装置２と接続するための処理を自動的に行う。そして、共通サーバ装置２では、電子メールの受信データの一覧リストを作成し、当該会員端末１に送ると共に、着信通知すべき受信データがあるときには、着信通知を当該会員端末１に送る。
【０１１１】
会員端末１は、この一覧リストのデータを受信し、その一覧リストをメインＬＣＤ１０５Ｍの画面に表示する。また、共通サーバ装置２からの着信通知を受けて、メインＬＣＤ１０５Ｍに、前述したファクシミリ着信表示マーク２０５および／または電子メール着信表示マーク２０６を表示する。
【０１１２】
そして、使用者は、ジョグダイヤルキー１０９やペン１０７を用いて、電子メールの受信データの一覧リストから希望する電子メールの受信データを選択することができる。希望する電子メールの受信データの選択がなされ、「取り込み」のアイコンが選択されると、会員端末１は、当該受信データの取得の要求を、共通サーバ装置２に送信する。
【０１１３】
これを受けて、共通サーバ装置２は、要求された電子メールの受信データを抽出して、ＳＭＴＰにより会員端末１に送る。会員端末１は、受け取ったデータをＤＲＡＭ１２３に一時格納し、表示データに変換し、メインＬＣＤ１０５Ｍの画面に表示する。
【０１１４】
この実施の形態では、受信データに関する関連情報に関しても、会員端末１が、その生成処理や加工処理のためのアプリケーションを持つ必要はない。すなわち、前述したように、ファクシミリキーＫ７、あるいは、電子メールキーＫ８が押下されて、ファクシミリ機能、あるいは、電子メール機能が選択され、オンライン接続キーＫ１が押下されたときには、自己の会員端末宛てのファクシミリ受信データリストや電子メール受信データリストが、共通サーバ装置２で生成されて送られてくる。そして、会員端末１では、このリストから、見たい受信データを選択して見ることができる。
【０１１５】
また、キー釦１０８のうちのＷＷＷブラウザキーＫ６が操作されて、ＷＷＷブラウザ機能が選択された状態で、オンライン接続キーＫ１が押された場合には、前述と同様にして、共通サーバ装置２と会員端末１との間の接続処理がなされ、共通サーバ装置２からは、共通サーバ装置２が提供することができる情報の一覧を含む、共通サーバ装置２のいわゆるホームページが会員端末１に送られる。
【０１１６】
そして、ホームページ中の提供可能な情報の中から、使用者が欲しい情報を選択すると、その情報の要求が会員端末１から共通サーバ装置２に送られ、共通サーバ装置２は、その要求に応じた情報を会員端末１に送る。会員端末１は、これを受信して、メインＬＣＤ１０５Ｍの画面に表示する。これにより、使用者は、提供された情報を、ＬＣＤ１０５Ｍの画面を観視することができる。
【０１１７】
［着信処理手順］
着信通知サーバ２４は、メールサーバ２２やファクシミリサーバ２３からの、会員端末宛ての電子メール着信やファクシミリ着信の情報を取得し、これに基づき、その会員端末１についての電子メールやファクシミリのそれぞれについての着信キューを発生する。そして、受信情報に含まれる会員端末１の電話番号あるいはメインサーバから取得して会員端末１の電話番号を用いて、着信を通知すべき会員端末１を、ＩＳＤＮ公衆回線網９を通じて、この実施の形態では、疑似着呼サービスを用いて呼び出し、会員端末１の応答を確認して、着信通知の情報を会員端末１に送る。この場合に、この着信通知の情報としては、電子メールの着信か、ファクシミリの着信かを識別する情報を伴って送信する。
【０１１８】
疑似着呼サービスは、携帯無線通信端末に対してベルを鳴動させずに、相手に着信させて相手との通信路を形成し、必要なデータの送信後、即座に回線を切断するもので、安価な料金でこのサービスを利用することができる。会員端末１が電波の届く範囲に存在していれば、共通サーバ装置２は、この疑似着呼による呼び出しにより着信通知情報を会員端末１に送ることができる。
【０１１９】
着信通知サーバ２４は、会員端末１への着信通知が完了した着信については、当該着信を着信キューから削除する。しかし、会員端末１が電波の届かない場所にあって、着信通知をしたが通知が完了しなかった場合には、その着信キューは通知未完了として消去しない。この着信通知が完了しなかった着信キューについては、適当な後のタイミングで再通知の処理を行うようにすることもできる。
【０１２０】
そして、着信通知サーバ２４は、ＨＴＴＰＤサーバ２５からの、会員端末１が共通サーバ装置２に接続された旨の通知を受けたときに、当該接続された会員端末１についての電子メールやファクシミリの着信キューを参照し、着信がまだ行われていない着信キューや通知未完了の着信キューがあれば、その着信の通知を接続してきた会員端末１に、接続された通信路、つまり、ネットワーク５−ＡＰ４−ネットワーク３−基地局６を通じて送るようにする。これにより、まだ通知されていない着信キューはもちろんのこと、上述したように着信が未完了であった着信キューも、確実に会員端末１に通知される。
【０１２１】
次に、着信通知の処理の例を以下に説明する。以下に説明する例は、会員端末以外のファクシミリ装置から、会員端末１宛てのファクシミリ着信があった場合の処理手順である。共通サーバ装置２での受信手順は異なるが、他の会員端末からのファクシミリ着信や、電子メール着信があった場合においても、着信通知サーバ２４が実行する着信通知処理はほぼ変わりない。
【０１２２】
図７および図８は、会員以外のファクシミリ端末から会員端末１へのファクシミリデータの着信があった場合の共通サーバ装置２の動作を示すものである。
【０１２３】
この例の場合、ファクシミリサーバ２３で、図２に示したようにＩＳＤＮなど公衆回線網９を通じてファクシミリ端末からの申し込み着信を受けると（手順Ｓ１）、この実施の形態では、音声ガイダンスによるファクシミリ受信受付けを行う（手順Ｓ２）。すると、前記ファクシミリ端末からファクシミリデータが送られてくるので、このファクシミリデータをファクシミリサーバ２３で受信する（手順Ｓ３）。
【０１２４】
そして、ファクシミリサーバ２３は、受信内容を判断し、拡張ヘッダを編集する（手順Ｓ４）。そして、受信したファクシミリデータおよび編集した拡張ヘッダをメールフォーマットに変換して、ＳＭＴＰによりメールサーバ２２にメール送信する（手順Ｓ５）。
【０１２５】
メールサーバ２２は、このメールを受信し（手順Ｓ６）、受信内容を判断し、拡張ヘッダの抽出を行う（手順Ｓ７）。そして、宛先電話番号から送信先が会員端末であるか否かを確認し（手順Ｓ８）、送信先が会員端末でなければ、受信処理を終了する。
【０１２６】
送信先が会員端末１であれば、メールフォーマットにより会員端末に送信するように決定し、宛先電話番号をメールアドレスに変更するなどの処理を行い、ＦＡＸボックス２３Ｍの宛先の会員端末のメモリエリアに、受信したファクシミリデータであるビットマップ形式のイメージデータを、ＳＭＴＰにより送信できる例えばＧＩＦ形式に変換して格納しておく（手順Ｓ９）。ビットマップ形式で格納しておいてもよいが、ＧＩＦ形式に変換して格納しておくほうが、データ量は少なくなり、メモリを小さくすることができる。
【０１２７】
そして、着信通知サーバ２４に、当該会員端末宛てのファクシミリ着信を通知する（手順Ｓ１０）。着信通知サーバ２４は、これを受けて、図８に示すように、ファクシミリ着信キューを発生させる（手順Ｓ１１）。次に、宛先電話番号を用いて、宛先の会員端末１に疑似着呼による発呼を行う（手順Ｓ１２）。そして、宛先の会員端末１との接続を確認し（手順Ｓ１３）、接続が確認できたときには、ファクシミリ着信である識別情報を含む着信通知情報を音声帯域のデータとして送信し（手順Ｓ１４）、回線断となる（手順Ｓ１５）。そして、着信通知完了として、通知した着信キューは削除する（手順Ｓ１６）。
【０１２８】
一方、会員端末１が電波の届かない場所に存在していた、あるいは会員端末１の電源がオフであったなどのために、会員端末１に対して疑似着呼ができなかった場合には、着信通知が未完了であることを記録しておく（手順Ｓ１７）。以上で、共通サーバ装置２でのファクシミリ着信処理は終了である。
【０１２９】
前述したように、会員端末１宛ての電子メールの着信があったときにも、同様にして、着信サーバにその通知が送られ、着信サーバは、上述の手順Ｓ１１〜Ｓ１７を同様にして実行して、宛先の会員端末１に対して電子メールの着信通知処理を行う。
【０１３０】
なお、この実施の形態の場合、会員端末から送信されてくるファクシミリデータは、後述する送信手順において説明するように、受信データは、テキストデータのみの場合には、メールボックス２２Ｍに格納され、イメージデータを含む場合にはＦＡＸボックス２３Ｍに格納されるものである。
【０１３１】
次に、図９は、着信通知を受けた会員端末１の動作を示すものである。すなわち、会員端末１は、疑似着呼があると回線接続を行い（手順Ｓ２１）、着信通知情報を受信する（手順Ｓ２２）。そして、受信した着信通知情報がファクシミリ着信であるか、電子メール着信であるかを判別する（手順Ｓ２３）。その結果、ファクシミリ着信であれば、サブＬＣＤ１０５Ｓ（電話モードの時）またはメインＬＣＤ１０５Ｍ（データ通信モードの時）にファクシミリ着信マーク２０５を表示させる（手順Ｓ２４）。また、電子メール着信であれば、サブＬＣＤ１０５Ｓ（電話モードの時）またはメインＬＣＤ１０５Ｍ（データ通信モードの時）に電子メール着信マーク２０６を表示させる（手順Ｓ２５）。
【０１３２】
以上のように、この実施の形態においては、電話モードにかぎらず、データ通信モードにおいても着信通知が受けられ、サブＬＣＤ１０５Ｓだけでなく、メインＬＣＤ１０５Ｍの画面においても、着信マークが表示されることにより、使用者に着信通知が報知される。
【０１３３】
［自己の会員端末宛ての受信データの取得］
以上のような共通サーバ装置２からの着信通知を受けた会員端末１の使用者は、通常は、データ通信モードにおいて、ファクシミリ機能あるいは電子メール機能を選択して共通サーバ装置２に接続する操作をすると、受信データリストが共通サーバ装置２から送られてくるので、このリストから取り込みたい受信データを指定して受信データ取得要求を送出することで、希望する受信データを取得することができる。
【０１３４】
また、この実施の形態では、会員端末１において、例えば、ファクシミリ機能や電子メール機能を選択し、かつ、共通サーバ装置２に接続して受信データリストを取得してそれを表示している状態にある場合など、会員端末１と共通サーバ装置２とが接続状態にあるときに、前述した未受信一括取得キーＫ２を押下するだけで、それまでに取得したことのない受信データのすべてを一括して取得することができる機能を備えている。
【０１３５】
さらに、この実施の形態では、共通サーバ装置２に接続していない状態から、未受信一括取得キーＫ２を押下するだけで、共通サーバ装置２に回線接続し、それまでに取得したことのない受信データのすべてを一括して取得し、共通サーバ装置２との回線切断までを自動的にできる機能をも備える。
【０１３６】
そして、詳しくは後述するように、この実施の形態においては、未受信一括取得キーＫ２が押下されたときには、ファクシミリの未受信データと電子メールの未受信データの両方を一括して会員端末１に取り込み利用できるようにする。
【０１３７】
もちろん、ファクシミリの未受信データと、電子メールの未受信データとを別々に取得するようにすることも可能であり、これについても後述する。
【０１３８】
［通常の受信データの取り込み］
図１０および図１１の流れ図を参照して、使用者が受信データの取り込みを行う手順について説明する。
【０１３９】
まず、使用者は、カバーパネル１０１を開く（手順Ｓ３１）。すると、会員端末１は、データ通信モードになる（手順Ｓ３２）。そして、使用者が、キー釦１０８のうちのファクシミリ機能キーＫ７あるいは電子メール機能キーＫ８を押下する（手順Ｓ３３）と、会員端末１は、その押下されたダイレクトキーに応じた機能の状態になる（手順Ｓ３４）。この状態で、オンライン接続キーＫ１が押されると（手順Ｓ３５）、会員端末１は、前述したようにして、共通サーバ装置２と接続するための処理を自動的に行う（手順Ｓ３６）。すなわち、フラッシュメモリ１２４に記憶されいる自己の会員端末１の識別情報と、ＩＳＰサーバ装置７Ｉを通じた共通サーバ装置２への接続のためのアドレスデータとを用いて、共通サーバ装置２と接続する要求を会員端末１は送出する。
【０１４０】
この接続要求に対して、ネットワーク管理サーバであるＩＳＰサーバ７Ｉが当該アクセスしてきた端末が会員端末であるかどうかの認証を、接続要求に含まれる会員端末であるか否かの識別情報やパスワードを用いて行い（手順Ｓ３７）、会員端末であれば、共通サーバ装置２に接続する処理を行う（手順Ｓ３８）。
【０１４１】
すると、共通サーバ装置２は、会員端末１からの接続要求を受け取り、接続された会員端末がいずれの会員端末であるかを認識する（手順Ｓ３９）。そして、接続要求がファクシミリ機能でのものであれば、当該会員端末１宛てのファクシミリ受信データの一覧リストを、あるいは接続要求が電子メール機能でのものであれば、当該会員端末１宛ての電子メール受信データの一覧リストを、当該会員端末１に送る（手順Ｓ４０）。したがって、この例では、オンライン接続キーＫ１は、受信データのリストの要求キーの役割も有する。
【０１４２】
共通サーバ装置２は、また、接続してきた会員端末１宛ての着信通知が未了である着信キューがあるか否か判断し（手順Ｓ４１）、未了な着信キューがあれば、その着信通知を接続してきた会員端末１に、接続された通信路を通じて送信する（手順Ｓ４２）。
【０１４３】
会員端末１では、共通サーバ装置２から送信されてくるファクシミリ受信データのリストあるいは電子メールの受信データのリストを表示すると共に、共通サーバ装置２から着信通知情報が送信されてきた場合には、それを解析し、ファクシミリ着信の着信通知であればマーク２０５を、電子メール着信の着信通知であればマーク２０６を、その両方の着信通知であれば、両マーク２０５および２０６を、メインＬＣＤ１０５Ｍの画面に表示する（手順Ｓ４３）。
【０１４４】
図１３は、会員端末１のメインＬＣＤ１０５Ｍに表示される電子メールの受信データのリストの表示例である。すなわち、各受信データは、図示のように、ＵＲＬ（Ｕｎｉｖｅｒｓａｌ  Ｒｅｓｏｕｒｃｅ  Ｌｏｃａｔｏｒ）形式の電子メールアドレス、受信した日付、タイトルを１行としてリスト表示される。
【０１４５】
そして、この実施の形態では、特に、会員端末１がそれまでに１度も取得していない受信データ（未受信データ）については、それを知らせる情報が共通サーバ装置２からのリスト情報に含まれており、この未受信データには、「未受」の欄に★印が、図示のように付加される。
【０１４６】
また、このリスト表示画面においては、次の処理機能を示すタグ（アイコンボタンに相当）４０１〜４０４が表示されている。使用者が、処理機能を選択して例えばペン１０７やジョグダイヤルキー１０９により、タグ４０１〜４０４のいずれかの位置を指示することにより、タグ４０１〜４０４に表示されている内容の処理機能が実行される。
【０１４７】
なお、ファクシミリ機能の場合においても、受信リストは、メールアドレスの代わりにファクシミリ電話番号が表示されるなどの変更はあるものの、リスト表示の仕方や、タグ４０１〜４０４は、まったく同様に表示されて設けられるものである。
【０１４８】
次に、使用者が、通常の受信データの取り込み作業を行う場合は、図１３のように示されたメインＬＣＤ１０５Ｍの画面に表示された受信リストから、自分が得たい受信データを選択する操作をし、当該選択した受信データの取得要求操作をする（手順Ｓ４４）。すなわち、使用者は、このリスト表示画面において、自分が取得したい受信データを一つ一つ指定し、タグ４０２の［取り込み］をペン１０７やジョグダイヤルキー１０９で選択指示操作する。
【０１４９】
１件ごとに受信データの取得を要求する場合には、ジョグダイヤルキー１０９を回動操作して選択指定する受信データの行にカーソルを合わせ、タグ４０２の［取り込み］をペン１０７やジョグダイヤルキー１０９で選択指示操作する。図１３の例では、カーソル位置は、アンダーラインを付した行であって、行の右横に矢印を付して示している。図１３では、「７．」の行がカーソルで指示されている。
【０１５０】
複数件の受信データの取得を同時に要求することもできる。その場合には、カーソルを指定する受信データの行に合わせた後、その行のチェック欄を、例えばペン１０７や、ジョグダイヤルキー１０９により指示する。指示されたチェック欄、図示のように黒く塗り潰されて表示される。この作業を同時取得要求するすべての受信データの行について行った後に、タグ４０２の［取り込み］をペン１０７やジョグダイヤルキー１０９で選択指示操作する。
【０１５１】
以上のようにして、使用者により取得したい受信データが指定され、タグ４０２の［取り込み］が選択されると、会員端末１からは、指定された受信データの取得要求が共通サーバ装置２に対して送信される（手順Ｓ４５）。
【０１５２】
共通サーバ装置２は、この受信データの取得要求を解析して、要求してきた会員端末を認識するとともに、要求情報が受信データの取得要求であることを認識し（手順Ｓ４６）、要求された受信データをＦＡＸボックスあるいはメールボックスから読み出し、メールとして当該会員端末に送信する（手順Ｓ４７）。そして共通サーバ装置２では、当該送出した受信データについて、取込済フラグを立てておく（手順Ｓ４８）。
【０１５３】
会員端末１は、共通サーバ装置２からこの受信データを受け取り、ＤＲＡＭ１２３に格納する（手順Ｓ４９）。次に、このリスト表示画面から移行可能な他の処理を指示する操作があったか否かを判別し（手順Ｓ５０）、当該操作があれば、その指示された処理を実行する（手順Ｓ５１）。また、前記移行処理への指示がなかったときには、タグ４０４の［回線切断］が選択指示されたか否か判別し（手順Ｓ５２）、当該タグ４０４の［回線切断］が選択指示された場合には、共通サーバ装置２との回線切断を実行する（手順Ｓ５３）。以上で、各会員端末宛ての受信データの受信手順は終了である。
【０１５４】
［共通サーバ装置２と接続中における受信データの未受信一括取り込み］
以上の説明では、ファクシミリ機能や電子メール機能を選択した状態からオンライン接続きーＫ１を押下して、共通サーバ装置２と回線接続して、共通サーバ装置２からの受信データリストを会員端末１に表示し、そのリストの中から受信データを選択指定し、受信データの取得要求を出して所望の受信データを取り込むようにした。
【０１５５】
しかし、これでは、未受信データのみを取得しようとする場合には、それが複数個ある場合に、そのすべてを指定する操作をし、タグ４０３の［取り込み］を選択指示操作しなければならず、操作が厄介である。
【０１５６】
この実施の形態では、この点を改善するため、会員端末１のカバーパネル１０１の裏側のキー釦１０８の１つとして、未受信一括取得キーＫ２を設け、この未受信一括取得キーＫ２を押下するだけで、それまで取得していなかった自分宛ての受信データのすべてを取得することができるようにしている。図１４は、そのための手順を示すもので、前述した手順Ｓ３１〜手順Ｓ４３までは、前述した通常の受信データ取得手順とまったく同じであるので省略した。
【０１５７】
なお、この実施の形態においては、ファクシミリ機能が選択されて共通サーバ装置２と接続されている場合、あるいは、電子メール機能が選択されて共通サーバ装置２と接続されている場合のいづれであっても、それまで取得していなかった自分宛てのファクシミリの受信データと、電子メールの受信データの両方を取得することができるようにしている。
【０１５８】
この場合には、共通サーバ装置２から受信リストを受信して、図１３のように、メインＬＣＤ１０５Ｍの画面に受信リストを表示している場合において、使用者は、会員端末１のキー釦１０８の未受信一括取得キーＫ２を押下する。すると、会員端末１ではそれを受付け（手順Ｓ６０）、未受信一括取得要求を送出する（手順Ｓ６１）。
【０１５９】
共通サーバ装置２は、この未受信一括取得要求を受けると、いずれの会員端末１からの未受信一括取得要求であるかを認識し（手順Ｓ６２）、認識した会員端末１のＦＡＸボックス２２Ｍ、メールボックス２２Ｍの中から、取込済フラグが立っていない受信データ、つまり、当該会員端末１に１度も取り込まれていない受信データを抽出する（手順Ｓ６３）。そして、抽出した受信データのすべてを、そのリストと共に、要求を送ってきた会員端末１に送出する（手順Ｓ６４）。そして、未受信データの送出後、当該会員端末１のＦＡＸボックス２３Ｍ、メールボックス２２Ｍに、送出した受信データのすべてについて、取込済フラグを立てる（手順Ｓ６５）。
【０１６０】
会員端末１は、共通サーバ装置２からこの受信データを受け取り、ＤＲＡＭ１２３に格納する（手順Ｓ６６）。次に、このリスト表示画面から移行可能な他の処理を指示する操作があったか否かを判別し（手順Ｓ６７）、当該操作があれば、その指示された処理を実行する（手順Ｓ６８）。また、前記移行処理への指示がなかったときには、タグ４０５の［回線切断］が選択指示されたか否か判別し（手順Ｓ６９）、当該タグ４０５の［回線切断］が選択指示された場合には、共通サーバ装置２との回線切断を実行する（手順Ｓ７０）。
【０１６１】
このように、未受信一括取得キーＫ２を押下するだけで、それまでに受信していなかった受信データのすべてを自動的に、取得することができる。そして、この例の場合のように、共通サーバ装置２と回線が接続されている状態で、未受信一括取得キーＫ２が押下した場合には、未受信データの受信を完了した後であっても、即座に回線を切断することなく、共通サーバ装置２と協働して行う他の処理機能に移行することができる。
【０１６２】
例えば、電子メール機能で未受信一括取得キーを押下し、未受信一括取得をした後に、例えばキー釦１０８のうちの電子メール機能キーＫ８を押すと、［送信ボックス］と呼ぶ電子メール送信の処理機能に移ることができる。したがって、共通サーバ装置２との接続回線を切断することなく、電子メールの送信をすることができる。例えば、未受信一括取得をし、その受信データの中から必要な受信データを選択し、タグ４０２の［表示］を選択指示して受信内容を表示したことにより、返信の必要性が生じた場合、即座に返信メールの送信を行うことが可能である。
【０１６３】
なお、図１４を用いて前述した共通サーバ装置２と接続中における受信データの未受信一括取り込みにおいては、ファクシミリ機能、電子メール機能のうち、いづれが選択されている場合であっても、ファクシミリの未受信データと電子メールの未受信データとの両方を取得するようにしたが、これに限るものではない。
【０１６４】
例えば、会員端末１において、電子メール機能が選択されて共通サーバ装置２との間に通信回線が接続されている場合に、未受信一括取得キーＫ２が押下された場合には、電子メールの未受信データを取得するようにし、ファクシミリ機能が選択されて共通サーバ装置２との間に通信回線が接続されている場合に、未受信一括取得キーＫ２が押下された場合には、ファクシミリの未受信データを取得するようにすることもできる。
【０１６５】
このようにすることによって、実行している機能に応じて、ファクシミリの未受信データあるいは電子メールの未受信データを簡単な操作で取得することができる。
【０１６６】
もちろん、選択されている機能にかかわりなく、会員端末１と共通サーバ装置２とが接続中であるときに、未受信一括取得キーＫ２が押下された場合には、電子メールの未受信データと、ファクシミリの未受信データとの両方を会員端末１が取得するようにすることもできる。したがって、例えば、ＷＷＷブラウザ機能が選択されて会員端末１と共通サーバ装置２とが接続中である場合に、未受信一括取得キーＫ２が押下された場合には、電子メールの未受信データとファクシミリの未受信データとを取得するようにすることもできる。
【０１６７】
そして、未受信一括取得キーＫ２が押下されたときに、ファクシミリの未受信データと電子メールの未受信データとの両方を取得するようにした場合、ファクシミリの未受信データは、ＤＲＡＭ１２３のファクシミリの受信データ用の記憶領域に記憶し、電子メールの未受信データは、ＤＲＡＭ１２３の電子メールの受信データ用の記憶領域に記憶するようにする。
【０１６８】
このようにすることによって、ファクシミリの未受信データと電子メールの未受信データとを一括して取得するようにした場合であっても、ファクシミリの保存ボックスの機能処理によりファクシミリの未受信データを利用し、電子メールの保存ボックスの機能処理により電子メールの未受信データを利用するというように、それぞれの未受信データが混在することなく、別々に利用することができる。
【０１６９】
もちろん、未受信データの記憶領域をファクシミリと電子メールとで分けるようにする場合に限るものではなく、ファクシミリの未受信データか、電子メールの未受信データかを区別できる情報を各未受信データに付加しておくことで、ファクシミリの未受信データと、電子メールの未受信データとをＤＲＡＭ１２３の同じ記憶領域に記憶し、別々に利用するようにすることもできる。
【０１７０】
［共通サーバ装置２と非接続状態における未受信一括取り込み］
会員端末１においては、ファクシミリ機能と電子メール機能のいずれの場合においても、以上のようにしてＤＲＡＭ１２３に取り込んだ受信データを、それぞれ共通サーバ装置２との回線を切断した状態において、「受信ボックス」という処理を動作させることにより、メインＬＣＤ１０５Ｍの画面に表示させたり、フラッシュメモリ１２４に保存するなどの処理を行うことができる。
【０１７１】
すなわち、共通サーバ装置２との接続回線を切断した後、例えば図１３に示した受信データリスト表示の状態において、使用者がペン１０７やジョグダイヤルキー１０９により［メールリスト］のタグを指示操作すると、指示操作をするごとに、［受信ボックス］と呼ぶＤＲＡＭ１２３に取り込んだ受信データについての処理画面と、［保存ボックス］と呼ぶフラッシュメモリ１２４に格納した受信データについての処理画面と、［送信ボックス］と呼ぶファクシミリ送信や電子メール送信を行うデータについての処理画面とが、サイクリックに順次に選択される。
【０１７２】
図１５は、電子メール機能における［受信ボックス］の処理画面の例を示すものである。この画面のリストは、ＤＲＡＭ１２３に格納されている取り込んだ受信データのリストである。図１５において、「未読」の欄の★印が表示されているのは、端末に取り込んでから、まだ表示していないデータであることを示すものである。
【０１７３】
この［受信ボックス］の処理画面においても、次の処理機能を示すタグ（アイコンボタンに相当）５０１〜５０５が表示されている。使用者が、処理機能を選択して、例えばペン１０７やジョグダイヤルキー１０９により、タグ５０１〜５０５のいずれかの位置を指示することにより、タグ５０１〜５０５に表示されている内容の処理機能が実行される。
【０１７４】
ファクシミリ機能における［受信ボックス］の処理画面も、メールアドレスの代わりにファクシミリ電話番号が表示されるなどの変更はあるものの、ほぼ同様の表示となる。
【０１７５】
そして、この［受信ボックス］の画面において、タグ５０２の［表示］が選択指示操作されると、カーソルでそのとき指示された行の受信データが、メインＬＣＤ１０５Ｍに展開されて表示される。また、タグ５０１の［保存］が選択指示されると、カーソルでそのとき指示された行の受信データが、フラッシュメモリ１２４に格納される。このフラッシュメモリ１２３に格納された受信データは、メイン電源スイッチがオフとされても消去されずに保存される。
【０１７６】
このフラッシュメモリ１２４に格納された受信データは、前述した［保存ボックス］の処理画面を呼び出すと保存リストが表示されるので、そのリストから選択して画面に展開して表示することができる。
【０１７７】
このように、この実施の形態の会員端末１は、共通サーバ装置２との間で通信回線が接続されていない場合においても、既に会員端末１に取り込まれている受信データを利用したり、あるいは、この会員端末１から送信しようとする送信データを作成するなどの種々の処理を行うことができるようにされている。
【０１７８】
また、この実施の形態においては、前述のように、当該会員端末１宛てのファクシミリや電子メールの受信データが共通サーバ装置２において受信された場合には、当該会員端末１に着信が通知されるので、会員端末１と共通サーバ装置２とが非接続状態にあるときにも、未受信データを取得するようにできればより便利である。
【０１７９】
例えば、会員端末１と共通サーバ装置２とが非接続状態にあり、会員端末１に取り込んだ受信データを画面に表示し、その内容を確認している場合や、送信しようとするファクシミリや電子メールの送信データを作成しているときに、着信通知があった場合、現在実行している処理を中断して、前述したように、共通サーバ装置２との間に通信回線を接続し、未受信データを取得するようにしなければならないとすれば、非常に面倒である。また、現在実行中の処理を即座に中断できない場合もあり、着信通知がされても、その着信が通知された受信データを即座に取得できない場合も発生することになる。
【０１８０】
そこで、この実施の形態においては、会員端末１と共通サーバ装置２との間に通信回線が接続されていない場合に、未受信一括取得キーＫ２が押下されたときには、会員端末１において現在実行されている処理に関係なく、当該会員端末１宛ての未受信データを取り込むことができるようにされている。
【０１８１】
この場合、後述もするように、未受信一括取得キーＫ２を押下することにより、共通サーバ装置２との通信回線の接続、未受信データの取得、通信回線の切断までを一連の処理として自動的に行う。この場合においても、未受信データの取得は、ファクシミリの未受信データと、電子メールの未受信データとの両方を取得することができるようにされている。
【０１８２】
図１６および図１７は、会員端末１と共通サーバ装置２とが非接続状態にあるときに、未受信一括取得キーＫ２を押下することにより、共通サーバ装置２から未受信のデータを一括取得するときの処理手順をの詳細を示すものである。
【０１８３】
会員端末１において、前述した［受信ボックス］や［保存ボックス］の各処理機能の実行中や、会員端末１が電話モードとされて、いわゆる待ち受け状態にある場合など、会員端末１と共通サーバ装置２とが非接続状態にあるときに、未受信一括取得キーＫ２が押下されると、会員端末１はこれを受付けて（手順Ｓ８１）、共通サーバ装置２と接続するための接続要求と、未受信一括取得要求を、共通サーバ装置２に宛てて送出する（手順Ｓ８２）。なお、接続要求は、フラッシュメモリ１２４に記憶されいる自己の会員端末１の識別情報およびパスワードと、ＩＳＰサーバ装置７Ｉを通じた共通サーバ装置２への接続のためのアドレスデータとを用いて、生成して送出する。
【０１８４】
そして、接続要求に対して、ネットワーク管理サーバであるＩＳＰサーバ７Ｉが当該アクセスしてきた端末が会員端末であるかどうかの認証を、接続要求に含まれる会員端末であるか否かの識別情報を用いて行い（手順Ｓ８３）、会員端末であれば、共通サーバ装置２に接続する処理を行う（手順Ｓ８４）。
【０１８５】
すると、共通サーバ装置２は、会員端末１からの接続要求を受け取り、接続された会員端末がいずれの会員端末であるかを認識するとともに、未受信一括取得要求の到来も認識する（手順Ｓ８５）。そして、認識した会員端末１のＦＡＸボックス２３Ｍおよびメールボックス２２Ｍで取込済フラグが立っていない受信データを抽出し（手順Ｓ８６）、抽出したすべての受信データを、そのリストとともに、要求した会員端末１に宛てて送出する（手順Ｓ８７）。そして、送出したすべてのファクシミリの受信データ、電子メールの受信データについて取込済フラグを立てる（手順Ｓ８８）。
【０１８６】
この共通サーバ装置２からの未受信データを受信した会員端末１では、当該受信データをＤＲＡＭ１２３に格納する（手順Ｓ８９）。この場合、ファクシミリの受信データは、ファクシミリの受信データの格納領域に、電子メールの受信データは、電子メールの受信データの格納領域にというように、両受信データは、別々の領域に格納されて、前述したように、ファクシミリの受信ボックス処理機能、電子メールの受信ボックス処理機能を用いて、それぞれを区別して利用することができるようにされている。
【０１８７】
共通サーバ装置２からのすべての受信データのＤＲＡＭ１２３への格納が終了すると、会員端末１では回線切断処理を実行する（手順Ｓ９０）。これにより、共通サーバ装置２と会員端末１との間の回線接続が切断される。次に、ファクシミリの受信ボックス、あるいは、電子メールの受信ボックスの処理機能により、取込んだ情報の中のリストを用いて、受信ボックスの新たなリストを作成し、画面に表示する手順Ｓ９１）。この表示の変更により、未受信一括により新たに取得された情報がリストに加わる。
【０１８８】
こうして、会員端末１と共通サーバ装置２とが接続されていない状態のときに、会員端末１の未受信一括取得キーＫ２が押下された場合には、会員端末１は、共通サーバ装置２との回線接続、未受信データ取得、回線切断までの一連の動作を自動的に行うことができるようにされている。これにより、会員端末１は、自分宛ての未受信データを非常に簡単な操作で取得し、利用することができるようにされている。
【０１８９】
また、共通サーバ装置２と非接続時における未受信一括取得の機能によれば、新着の電子メールやファクシミリの着信があったときに、現在実行されている処理機能とは無関係に、新着の受信データを、簡単に取込めるという顕著な効果がある。つまり、［受信ボックス］や［保存ボックス］の各処理機能の実行中や、会員端末１が電話モードとされて、いわゆる待ち受け状態にある場合などにおいて、未受信一括取得キーＫ２を押下するという非常に簡単な操作で、共通サーバ装置２との間の通信回線接続、未受信データの取得、接続した通信回線の切断までを、一連の処理として行うことができる。
【０１９０】
なお、図１４を用いて前述した共通サーバ装置２と接続中における受信データの未受信一括取り込みにおいても、また、図１６、図１７を用いて前述した共通サーバ装置２と非接続状態における未受信一括取り込みにおいても、以下に説明するように、ファクシミリの未受信データと、電子メールの未受信データとを分けて取得するようにすることができる。
【０１９１】
例えば、未受信一括取得キーＫ２の１回の押下では電子メールの未受信データの送信を要求し、未受信一括取得キーＫ２を連続して２回押下した場合には、ファクシミリの未受信データの送信を要求するというように、未受信一括取得キーＫ２の操作の仕方に応じて、電子メールの未受信データを要求するか、ファクシミリの未受信データを要求するかを制御するようにすることができる。
【０１９２】
また、ファクシミリの未受信データの送信を要求するか、電子メールの未受信データの送信を要求可の切り換えキーを設け、この切り換えキーを操作して、ファクシミリか電子メールかを選択した後に、未受信一括取得キーＫ２を押下したときに、選択された方の未受信データを取得するようにしてもよい。
【０１９３】
また、ファクシミリの未受信データの送信を要求するためのファクシミリ用未受信一括取得キーと、電子メールの未受信データの送信を要求する電子メール用未受信一括取得キーとを設け、操作された未受信一括取得キーがファクシミリ用か、電子メール用かに応じて、送信を要求する未受信データを変えるようにしてもよい。
【０１９４】
また、前述したように、この実施の形態においては、共通サーバ装置２に、会員端末１宛てのファクシミリの受信データや電子メールの受信データの着信があった場合には、宛先の会員端末１に着信通知がされる。会員端末１の使用者は、この着信通知に応じて、未受信一括取得キーＫ２を操作して、未受信データを取得する場合も多いので、以下に説明するように、着信通知に応じて、ファクシミリの未受信データを取得するようにするか、電子メールの未受信データを取得するようにするかを制御するようにすることができる。
【０１９５】
前述したように、この実施の形態において着信通知は、サブＬＣＤ１０５ＳあるいはメインＬＣＤ１０５Ｍに、ファクシミリの着信の場合にはマーク２０５を表示し、電子メールの着信の場合には、マーク２０６を表示することにより行われる。つまり、ファクシミリの着信か電子メールの着信かが会員端末１に通知され、使用者に報知することができるようにされている。そこで、この着信通知に応じて、未受信データを取得するようにする。
【０１９６】
つまり、会員端末１のサブＬＣＤ１０５またはメインＬＣＤ１０５Ｍにマーク２０５が表示され、ファクシミリの着信が通知されている場合に、未受信一括取得キーＫ２が押下された場合には、会員端末１は、ファクシミリの未受信データの送信要求を送信して、ファクシミリの未受信データを取得する。また、サブＬＣＤ１０５またはメインＬＣＤ１０５Ｍにマーク２０６が表示され、電子メールの着信が通知されている場合に、未受信一括取得キーＫ２が押下された場合には、電子メールの未受信データの送信要求を送出して、電子メールの未受信データを取得する。
【０１９７】
さらに、会員端末１のサブＬＣＤ１０５またはメインＬＣＤ１０５Ｍにマーク２０５とマーク２０６とが表示され、ファクシミリの着信と電子メールの着信とが通知されている場合に、未受信一括取得キーＫ２が押下された場合には、ファクシミリの未受信データと電子メールの未受信データとの両方の送信要求を送信して、ファクシミリの未受信データと電子メールの未受信データとの両方を取得する。
【０１９８】
このように、着信通知のあった未受信データだけを簡単な操作で、遅滞なく、かつ、確実に取得することができる。つまり、受信データの一覧リストから未受信データを選択して、提供を要求する場合のように、手間をかけたり、選択ミスをすることもなく、未受信データのみを取得することができる。
【０１９９】
また、共通サーバ装置２からの着信通知による携帯無線通信端末での使用者への報知手段としては、上述の実施の形態のような、表示マークによる方法に限られるものではなく、ベルの鳴動を伴ってもよいし、また、音声メッセージにより着信を知らせるようにしてもよい。
【０２００】
また、前述の実施の形態においては、会員端末１と共通サーバ装置２とが接続状態にあるときには、会員端末１が未受信データのすべてを取得し終えても、通信回線は切断しないようにしたが、接続されている通信回線を自動的に切断するようにしたり、あるいは、通信回線を切断するか否かを会員端末１の使用者が選択するようにすることもできる。
【０２０１】
同様に、会員端末１と共通サーバ装置２とが非接続状態にあるときには、会員端末１が未受信データのすべてを取得し終えたときに、通信回線を自動的に切断するようにしたが、接続されている通信回線をそのまま維持するようにしたり、あるいは、通信回線を切断するか否かを会員端末１の使用者が選択するようにすることもできる。
【０２０２】
このようにすることにより、未受信データの取得後に会員端末１において行おうとする処理に応じて、通信回線を切断したり、接続したままとするなど、柔軟に対応することが可能となる。
【０２０３】
また、以上の実施の形態では、携帯無線通信端末は、ＰＨＳ電話の機能を備える場合として説明したが、電話機能としては、携帯電話であってもよい。その場合には、ネットワークは携帯電話用のネットワークが使用されることになる。
【０２０４】
また、携帯情報通信端末としては、携帯無線通信端末に限るものではなく、有線でネットワークに接続する、通信機能を備えた例えばパーソナルコンピュータなどの通信機器にこの発明を適用することができる。
【０２０５】
また、以上の実施の形態では、電子メールおよびファクシミリは、ＳＭＴＰにより共通サーバ装置２と会員端末１との間でデータのやり取りを行うようにしたが、電子メールおよびファクシミリも、ＷＷＷブラウザ機能の場合と同様に、ＨＴＴＰによりデータのやり取りをすることにより、共通サーバ装置２と会員端末１との間の通信を統一して、通信のためのアプリケーションを簡略化することができる。
【０２０６】
【発明の効果】
以上説明したように、請求項１に記載の発明によれば、未受信一括取得キーを操作するという極めて簡単な操作で、自己宛ての受信データであって、未だに取得していない未受信データの全部を自動的に取得することができる。
【０２０７】
また、請求項２の発明によれば、通信回線の接続、未受信データの取得、通信回線の切断までを一連の処理として、携帯情報通信端末の未受信一括取得キーを操作することにより行うことができる。これにより、通信回線の接続操作や通信回線の切断操作などを行うことなく、極めて簡単な操作でサーバ装置に蓄積されている自己宛ての未受信データを取得することができる。
【０２０８】
また、請求項３の発明によれば、携帯情報通信端末の使用者は、自己宛ての受信データの着信があることを遅滞なく知ることができ、着信が報知された後に迅速に自己宛ての未受信データを簡単な操作で取得することができる。
【図面の簡単な説明】
【図１】この発明による情報通信システムが適用されるネットワーク構成の全体の概要を示す図である。
【図２】図１の具体的なネットワーク構成例を示す図である。
【図３】この発明によるサーバ装置の一実施の形態を示すブロック図である。
【図４】この発明による携帯情報通信端末の一実施の形態の外観を示す図である。
【図５】着信を使用者に報知する表示例を示す図である。
【図６】この発明による携帯情報通信端末の一実施の形態のブロック図である。
【図７】この発明による情報通信システムの一実施の形態におけるファクシミリ着信手順を示すフローチャートの一部である。
【図８】この発明による情報通信システムの一実施の形態におけるファクシミリ着信手順を示すフローチャートの一部である。
【図９】この発明による情報通信システムの一実施の形態における会員端末での着信通知の手順を示す図である。
【図１０】この発明による情報通信システムの一実施の形態における受信データの取り込み手順の一部を示す図である。
【図１１】この発明による情報通信システムの一実施の形態における受信データの取り込み手順の一部を示す図である。
【図１２】この発明による情報通信システムの一実施の形態における受信データの取り込み手順の一部を示す図である。
【図１３】この発明による情報通信システムの一実施の形態における携帯情報通信端末での受信データリストの表示の例を示す図である。
【図１４】この発明による情報通信システムの一実施の形態において、サーバ装置と携帯情報通信端末とが回線接続されている状態における未受信一括取得処理手順を示すフローチャートである。
【図１５】この発明による情報通信システムの一実施の形態における携帯情報通信端末で取り込んだ受信データリストの表示の例を示す図である。
【図１６】この発明による情報通信システムの一実施の形態において、サーバ装置と携帯情報通信端末とが回線接続されていない状態における未受信一括取得処理手順を示すフローチャートの一部である。
【図１７】この発明による情報通信システムの一実施の形態において、サーバ装置と携帯情報通信端末とが回線接続されていない状態における未受信一括取得処理手順を示すフローチャートの一部である。
【符号の説明】
１…携帯無線通信端末、２…共通サーバ装置、３…携帯無線通信端末用ネットワーク、４…アクセスポイント、５…専用基幹ネットワーク、６…無線基地局、７…ネットワーク管理サーバ装置、２１…マスターサーバ、２２…メールサーバ、２３…ファクシミリサーバ、２４…着信通知サーバ、１００…携帯無線通信端末本体、１０１…カバーパネル、１０２…テンキー、１０３…アンテナ、１０５Ｍ…メインＬＣＤ，１０５Ｓ…サブＬＣＤ，１０６…タッチパネル、１０８…キー釦、１２１…システムコントロール部、１２２…ＲＯＭ、１２３…ＤＲＡＭ、１２４…フラッシュメモリ、Ｋ２…未受信一括取得キー
【図１】
0003874043.tif 000002
【図２】
0003874043.tif 000003
【図３】
0003874043.tif 000004
【図４】
0003874043.tif 000005
【図５】
0003874043.tif 000006
【図６】
0003874043.tif 000007
【図７】
0003874043.tif 000008
【図８】
0003874043.tif 000009
【図９】
0003874043.tif 000010
【図１０】
0003874043.tif 000011
【図１１】
0003874043.tif 000012
【図１２】
0003874043.tif 000013
【図１３】
0003874043.tif 000014
【図１４】
0003874043.tif 000015
【図１５】
0003874043.tif 000016
【図１６】
0003874043.tif 000017
【図１７】
0003874043.tif 000018